(57)【特許請求の範囲】
【請求項１】
容器に取り付け可能なトリガー式ポンプディスペンサであって、
前方のシリンダ部と後方の逆Ｌ字状の取っ手部とが一体に形成されたハウジングと、該ハウジングに取り付けられ、前方のノズル部が装着されたノズルベースと、
中空状のピストンと中空状のピストンシャフトとから構成され前記シリンダ部内を摺動するピストン構造体と、
前記中空状のピストンと前記中空状のピストンシャフトとを上方に付勢するスプリングと、
前記ハウジングの上方に位置し、前方の先端が前記ハウジングに回動可能に装着され、その中間部に前記ピストンシャフトの先端が当接されるトリガーと、
前記シリンダ部の内部の中心部に配置されている弁棒と、を備え、
前記中空状のピストンは、大径ピストン部と小径ピストン部と中径中間部とが同じ軸心を持つように一体的に形成され、前記小径ピストン部は内部にリップ部を有し、
前記弁棒は、その先端部に、前記リップ部と協働する弁機能を有する弁体を有し、その基端部に、拡大部を有し、
前記逆Ｌ字状の取っ手部の指当接部が、前記トリガーの親指当て部の力点より後方にあることを特徴とするトリガー式ポンプディスペンサ。
【請求項２】
前記中空状のピストンシャフトは、その上部が二股部に形成され、前記二股部の先端部は前記トリガーに当接され、その下部は前記中空状のピストンに組み込まれていることを特徴とする請求項１に記載のトリガー式ポンプディスペンサ。
【請求項３】
前記二股部の先端部の外側面には、それぞれ支軸が突出していることを特徴とする請求項２に記載のトリガー式ポンプディスペンサ。
【請求項４】
前記ノズルベースに形成された縦方向の中空部内をピストン構造体の小径ピストン部が摺動自在となっており、ピストン構造体の動きが前記ノズルベースに伝わらないようになっていることを特徴とする請求項１記載のトリガー式ポンプディスペンサ。
【請求項５】
前記トリガーと前記逆Ｌ字状の取っ手部との間にストッパを挿入したことを特徴とする請求項１〜４のいずれか一項に記載のトリガー式ポンプディスペンサ。
【発明の詳細な説明】
【技術分野】
【０００１】
本発明は、容器に取り付けて中に収容された液を効率よく噴射させるためのトリガー式ポンプディスペンサに関する。
【背景技術】
【０００２】
従来、容器に取り付けて内部の液を吐出あるいは噴射させる器具としてトリガー式ポンプディスペンサが広く使用されている。
トリガー式ポンプディスペンサは、通常、ピストン及びシリンダを備えており、ピストンを移動させることでシリンダ内に圧を加え液が噴射されるものである。
このトリガー式ポンプディスペンサはピストンの動かし方によりタイプが分かれている。
その一つとして、例えば、４本の指でトリガーを引き込む形式のトリガー式ポンプディスペンサがある（特許文献１、特許文献２参照）。
【０００３】
この特許文献１及び特許文献２に開示のこれらのトリガー式ポンプディスペンサは、その前方にトリガーが設けられており、前方のトリガーを手で握り込んで後方に移動させると、トリガーの動きに連動してピストンを押し下げてシリンダ内の液圧が高まる。
その結果、ノズル部から液が勢いよく噴射されるものである。
【０００４】
また、従来、トリガーを本体の上方に配置して、トリガーの後端を押し込んで、トリガーの動きに連動してピストンを押し下げてシリンダ内の液圧が高まるタイプのトリガー式ポンプディスペンサが提案されている（特許文献３参照）。
【０００５】
この特許文献３に記載のトリガー式ポンプディスペンサは、更にいうなら、以下のような構造のものである。
すなわち、この特許文献３に記載のトリガー式ポンプディスペンサの構造は、容器に取り付け可能なトリガー式ポンプディスペンサであって、シリンダ部と、シリンダ部内に摺動自在なピストン構造体と、シリンダ部に装着されたハウジング部と、ハウジング部に一体形成された取っ手部と、ハウジング部に装着され、クランク部を介してピストン構造体に連結されるトリガー部と、シリンダ部を容器本体に取り付けるためのキャップとを備えている。
そしてピストン構造体は屈曲自在な長尺ノズル部とピストン部とが一体化されており、トリガー部を押し下げて取っ手部に近づけることにより、クランク部を介してピストン部を押し下げシリンダ部内に圧を加えて長尺ノズル部を通して液を吐出させる。
【先行技術文献】
【特許文献】
【０００６】
【特許文献１】特開２００５−２１９００３号公報
【特許文献２】特開２００６−１９８４４６号公報
【特許文献３】特開２０１０−１８４１８２号公報
【発明の概要】
【発明が解決しようとする課題】
【０００７】
しかしながら、上述した特許文献１及び特許文献２に記載のこれらのトリガー式ポンプディスペンサにおいては、トリガーを引き込む場合、トリガー式ポンプディスペンサの周囲全体を手の平で握り、指を使ってトリガーを横方向に引き込まなければならない。
そのため、手の小さい子供、握力、指力の落ちた身障者等が扱う際には、トリガーを握る状態が浅くなり、力を入れ難くなる。
また、４本の指を使って全体を握るため、トリガー式ポンプディスペンサ本体の周囲に液等が付着している場合、それが手に付着し汚れる欠点がある。
特にノズルの真下に位置する指は汚れ易い。
【０００８】
また、特許文献３に記載のトリガー式ポンプディスペンサは、特許文献１及び特許文献２についての上記のような欠点を解決することができる。
【０００９】
しかしながら、次のような問題点がある。
すなわち、トリガー部がクランク部を介してピストン構造体に連結されること、及びトリガー部が押し込まれると長尺ノズル部が屈曲すること、により、ハウジング部に余分な空間が必要になるという問題がある。
【００１０】
さらに、特許文献３に記載のトリガー式ポンプディスペンサは、トリガー部を押し下げて取っ手部に近づけることにより液を吐出させるものであるから、操作性に優れているといえる。
今後は、グリップ性の観点から更に使い良いものが望まれている。
【００１１】
そこで、本出願人は、既に、特開２０１５−５１３９８号公報として、グリップ性がよく噴射の際、指力がトリガー部に効率よく伝わり操作に優れたトリガー式ポンプディスペンサを提案した。
【００１２】
ところで、このトリガー式ポンプディスペンサは、概略、取っ手部を握った状態で、該取っ手部の上方にあるトリガー部を押し下げて、シリンダ部内の液体をノズル部から噴射させるトリガー式ポンプディスペンサにおいて、取っ手部の指当接部が、トリガー部の力点より後方にあることを特徴とするものである。
しかし、取っ手部とトリガー部とを握って、トリガー部を下方に押し下げると、それに伴ってピストン部も下方に移動する。
この場合、ピストン部が下方に移動するとノズル部も下方に移動する。
したがって、液を噴射させる際にノズル部の位置が上下に移動するという問題が残る。
【００１３】
本発明は、かかる背景技術をもとになされたもので、ノズル部の位置が上下に移動せず液の噴射方向を的確に定めることができ、手が汚れずにグリップ性もよく、噴射の際、指力がトリガー部に効率よく伝わり操作性に優れたトリガー式ポンプディスペンサを提供することを目的とする。
【課題を解決するための手段】
【００１４】
本発明者らは、上記課題を解決するため鋭意検討したところ、トリガーとピストンとの間に中空状のピストンシャフトを介在させることにより、上記課題を解決し得ることを見出し、本発明を完成するに到った。
【００１５】
本発明は、（１）、容器に取り付け可能なトリガー式ポンプディスペンサであって、前方のシリンダ部と後方の逆Ｌ字状の取っ手部とが一体に形成されたハウジングと、該ハウジングに取り付けられ、前方のノズル部が装着されたノズルベースと、中空状のピストンと中空状のピストンシャフトとから構成され前記シリンダ部内を摺動するピストン構造体と、前記中空状のピストンと前記中空状のピストンシャフトとを上方に付勢するスプリングと、前記ハウジングの上方に位置し、前方の先端が前記ハウジングに回動可能に装着され、その中間部に前記ピストンシャフトの先端が当接されるトリガーと、前記シリンダ部の内部の中心部に配置されている弁棒と、を備え、前記中空状のピストンは、大径ピストン部と小径ピストン部と中径中間部とが同じ軸心を持つように一体的に形成され、前記小径ピストン部は内部にリップ部を有し、前記弁棒は、その先端部に、前記リップ部と協働する弁機能を有する弁体を有し、その基端部に、拡大部を有し、前記逆Ｌ字状の取っ手部の指当接部が、前記トリガーの親指当て部の力点より後方にあるトリガー式ポンプディスペンサに存する。
【００１６】
本発明は、（２）、前記中空状のピストンシャフトは、その上部が二股部に形成され、前記二股部の先端部は前記トリガーに当接され、その下部は前記中空状のピストンに組み込まれている上記（１）に記載のトリガー式ポンプディスペンサに存する。
【００１７】
本発明は、（３）、前記二股部の先端部の外側面には、それぞれ支軸が突出している上記（２）に記載のトリガー式ポンプディスペンサに存する。
【００１８】
本発明は、（４）、前記ノズルベースに形成された縦方向の中空部内をピストン構造体の小径ピストン部が摺動自在となっており、ピストン構造体の動きが前記ノズルベースに伝わらないようになっている上記（１）に記載のトリガー式ポンプディスペンサに存する。
【００１９】
本発明は、（５）、前記トリガーと前記逆Ｌ字形の取っ手部との間にストッパを挿入した上記（１）〜（４）のいずれか一つに記載のトリガー式ポンプディスペンサに存する。
【００２０】
なお、本発明の目的に添ったものであれば、上記の各発明の構成を適宜組み合わせた構成も採用可能である。
【発明の効果】
【００２１】
本発明に係るトリガー式ポンプディスペンサによれば、次のような効果を有する。
トリガーが上下に回動しても、ノズル部の位置は変化しないので、液の噴射方向を的に向けて的確に定めることができる。
【００２２】
また、中空状のピストンシャフトを介して中空状のピストンの上下の移動を行うことができるので、ハウジングの内部の空間を少なくすることができる。
また、逆Ｌ字形の取っ手部がトリガーの下に位置しているので、液を噴射するためのトリガーを引き込む場合、握りよく、トリガー式ポンプディスペンサ全体を握る必要はない。  
また、逆Ｌ字形の取っ手部に４本の指を引っ掛けた状態で親指をトリガーの上に添えて、単に下方に押し下げるだけでよい。
【００２３】
そのため、手の小さい子供、握力、指力の落ちた身障者等でも簡単に扱うことができる。
さらに、トリガー式ポンプディスペンサ自体に液が付着している場合にも、手がトリガー式ポンプディスペンサ自体より離れているため汚れない。
【００２４】
また、逆Ｌ字形の取っ手部を握った状態で、逆Ｌ字形の取っ手部の上方にあるトリガーを押し下げて、シリンダ部内の液体をノズル部から噴射するトリガー式ポンプディスペンサであり、逆Ｌ字状の取っ手部の指当接部が、トリガーの親指当て部の力点より後方にあるので、握りよく保持性が高く（すなわちグリップ性が良く）、力が効率良く伝達され操作性にも優れている。
また、前記ノズルベースに形成された縦方向の中空部内をピストン構造体の小径ピストン部が摺動自在となっており、ピストン構造体の動きが前記ノズルベースに伝わらないようになっているので、噴射方向を的に向けて的確に定めることができる。
また、トリガーと逆Ｌ字形の取っ手部の間にストッパを挿入することで、トリガー式ポンプディスペンサを保管中または輸送中に何らかの事情でトリガーが押し下げられるのを防止することができる。
【図面の簡単な説明】
【００２５】
【図１】図１は、本発明の実施形態に係るトリガー式ポンプディスペンサの中心部の縦断面図で、トリガーと逆Ｌ字形の取っ手部の間にストッパを挿入した状態を示す。
【図２】図２は、本発明の実施形態に係るトリガー式ポンプディスペンサの中心部の縦断面図で、トリガーの回動前の状態を示す。
【図３】図３は、本発明の実施形態に係るトリガー式ポンプディスペンサの中心部の縦断面図で、トリガーの回動後の状態を示す。
【図４】図４は、本発明の実施形態に係るトリガー式ポンプディスペンサに使用するハウジングとノズルベースとピストン構造体とを組み付けた状態を示し、トリガーを取り外して示す斜視図である。
【図５】図５は、本発明の実施形態に係るトリガー式ポンプディスペンサに使用するノズルベースを示し、図５（Ａ）は、ノズルベースの平面図であり、図５（Ｂ）は、ノズルベースの正面図であり、図５（Ｃ）は、図５（Ａ）のａ−ａ断面によるノズルベースの断面図である。
【図６】図６は、本発明の実施形態に係るトリガー式ポンプディスペンサに使用するピストンを示し、図６（Ａ）は、ピストンの平面図であり、図６（Ｂ）は、ピストンの正面図であり、図６（Ｃ）は、図６（Ａ）のｂ−ｂ断面によるピストンの断面図である。
【図７】図７は、本発明の実施形態に係るトリガー式ポンプディスペンサに使用するピストンシャフトを示し、図７（Ａ）は、ピストンシャフトの平面図であり、図７（Ｂ）は、ピストンシャフトの斜視図であり、図７（Ｃ）は、ピストンシャフトの正面図であり、図７（Ｄ）は、図７（Ａ）のｃ−ｃ断面によるピストンシャフトの断面図である。
【図８】図８は、本発明の実施形態に係るトリガー式ポンプディスペンサに使用するノズルベースとピストンとピストンシャフトとを組み付けた状態を示し、図８（Ａ）は、その組み付けた状態の正面図であり、図８（Ｂ）は、図８（Ａ）のｄ−ｄ断面によるその組み付けた状態の断面図である。
【図９】図９は、本発明の実施形態に係るトリガー式ポンプディスペンサに使用するトリガーを示し、図９（Ａ）は、下方から見たトリガーの斜視図であり、図９（Ｂ）は、トリガーの正面図であり、図９（Ｃ）は、下方から見たトリガーの裏面の斜視図である。
【図１０】図１０は、本発明の実施形態に係るトリガー式ポンプディスペンサに使用するファーストバルブの概略を示し、図１０（Ａ）は、ファーストバルブの平面図であり、図１０（Ｂ）は、ファーストバルブの断面図である。
【図１１】図１１は、ノズルベースの別の変形例を示す断面図である。
【図１２】図１２は、上述した実施の形態と図１１のノズルベース１２の比較を参考までに示した図である。
【発明を実施するための形態】
【００２６】
本発明の実施形態に係るトリガー式ポンプディスペンサＡについて、以下に図面を参照して説明する。
【００２７】
本発明の実施形態に係るトリガー式ポンプディスペンサＡは、逆Ｌ字形の取っ手部１１Ｂを握って、トリガー１３の親指当て部１３ａを親指を使って下に押し下げることで、ピストン構造体１４を下降させて、液に圧縮力を与えてノズル部１１Ｃから噴射させる構造である。
【００２８】
図１は、本発明の実施形態に係るトリガー式ポンプディスペンサＡの中心部の縦断面図で、トリガー１３と逆Ｌ字形の取っ手部１１Ｂの間にストッパ２１を挿入した状態を示す。
ストッパ２１を挿入するのは、トリガー式ポンプディスペンサＡを保管中または輸送中に何らかの事情でトリガー１３が押し下げられるのを防止するためである。
【００２９】
図２は、本発明の実施形態に係るトリガー式ポンプディスペンサＡの中心部の縦断面図で、トリガーの回動前の状態を示す。
【００３０】
図３は、本発明の実施形態に係るトリガー式ポンプディスペンサＡの中心部の縦断面図で、トリガーの回動後の状態を示す。
【００３１】
図２に示すように、本発明の実施形態に係るトリガー式ポンプディスペンサＡは、ハウジング１１と、ノズルベース１２と、トリガー１３と、ピストン構造体１４と、中空状のピストン１５と、中空状のピストンシャフト１６と、スプリング１７と、弁棒１８と、チューブ１９と、キャップ２０と、を備えている。
【００３２】
ハウジング１１は、前方のシリンダ部１１Ａと後方の逆Ｌ字状の取っ手部１１Ｂとが一体に形成されている(図４参照)。
なお、図４においては、シリンダ部１１Ａはキャップ２０の内側にあるため、図示されていない。
またハウジング１１には後述するノズルベースが取り付けられている。
【００３３】
またシリンダ部１１Ａは、大径部１１Ａａと中径部１１Ａｂと小径部１１Ａｃとを有している。
なお、ピストン１５は、このシリンダ部内を摺動する。
大径部１１Ａａの外周には、つば１１Ａａｆが形成されており、このつば１１Ａａｆを後述するキャップ２０で押さえ込んで容器に取り付ける。
【００３４】
逆Ｌ字形の取っ手部１１Ｂは、後述するトリガー１３の後端にあるトリガー１３の親指当て部１３ａの下方に位置している。
そして、逆Ｌ字形の取っ手部１１Ｂのキャップ２０に対向する側には、指当接部１１Ｂｓがあり、この指当接部１１Ｂｓは、後述するトリガー１３の親指当て部１３ａの力点Ｐ３より後方にあることが好ましい。
【００３５】
ノズル部１１Ｃは、ハウジング１１の前方に位置し（図４参照）、ノズルベース１２に装着されており、その上面はハウジング１１の上面と面一となっている。
ノズル部１１Ｃの内部には中空円筒部１１Ｃａを有している。
このノズル部の中空円筒部１１Ｃａ内には、弁体ＳＶａを有するセカンドバルブＳＶが内蔵されている。
そして、ノズルベース１２の横方向の中空部１２ｂ（図５（Ｃ）参照）の底部（弁座の機能をする）に、セカンドバルブＳＶの弁体ＳＶａが当接している。
【００３６】
図５（Ａ）〜（Ｃ）に示すように、ノズルベース１２は、その前方に横方向の中空部１２ｂを有し、その中央に縦方向の中空部１２ａを有している。
また、その前方に縦方向の掛け止め爪１２ｄと横方向の掛け止め爪１２ｅを備え、後方には嵌合突起１２ｃを備えている。
【００３７】
またトリガー１３は、ハウジング１１の上方に位置し、その前方の端部がハウジング１１の取り付け孔１１ｄ（図４参照）に回動可能に連結されている。
すなわち、トリガー１３の前方の端部が回動可能に取り付けられる前述の取り付け孔１１ｄの部分がトリガー１３の回動支点Ｐ１となる。
【００３８】
また、図２、図９（Ａ）及び図９（Ｂ）に示すように、トリガー１３の後方の先端に、親指当て部１３ａが形成されている。
そして、この親指当て部１３ａの中心部が力点Ｐ３になっている。
また、図９（Ａ）及び図９（Ｃ）に示すように、トリガー１３の裏面に、円弧状のくぼみ１３ｂ（２箇所）と、切欠き１３ｃ（２箇所）とが形成されており、円弧状のくぼみ１３ｂ（２箇所）はトリガー１３の略中間部に形成され、切欠き１３ｃ（２箇所）はトリガー１３の後端部の近傍に形成されている。
そして、後述する中空状のピストンシャフト１６の二股部１６ｂの支軸１６ｃ（２個）がトリガー１３の円弧状のくぼみ１３ｂ（２箇所）に当接する。
支軸１６ｃ（２個）が当接する部分、すなわち円弧状のくぼみ１３ｂ（２箇所）がトリガー１３の作用点Ｐ２となっている。
【００３９】
前述したように、ストッパ２１は、トリガー１３と逆Ｌ字形の取っ手部１１Ｂの間に挿入することができる。
そして、ストッパ２１は、上部の突出部２１ａと下部側部の突出部２１ｂを有している。
ストッパ２１を取っ手部１１Ｂの水平面部１１Ｂｘに沿って横方向にスライドさせ、上部の突出部２１ａをトリガー１３の切欠き１３ｃに係止させるとともに、側部の突出部２１ｂを取っ手部１１Ｂの水平面部１１Ｂｘとノズルベース１２の後方段部１２ｙとの間に嵌め込む。
このようにして、ストッパ２１を簡単に取り付けることができる。
また、ストッパ２１を取り外すには、上述したスライド方向と逆に引き出すことにより取り外すことができる。
【００４０】
図８（Ａ）、図８（Ｂ）に示すように、ピストン構造体１４は、中空状のピストン１５と中空状のピストンシャフト１６とから構成されている。
【００４１】
まず中空状のピストン１５は、図６に示すように、大径ピストン部１５Ａと、小径ピストン部１５Ｂと、中径中間部１５Ｃと、が同じ軸心を持つように一体的に形成されている。
【００４２】
すなわち、図６（Ｃ）に示すように、小径ピストン部１５Ｂの下端は、中径中間部１５Ｃの上部連結部１５Ｃａで中径中間部１５Ｃに連結され、大径ピストン部１５Ａの下端の近傍は中径中間部１５Ｃの下部連結部１５Ｃｂで中径中間部１５Ｃに連結されている。
そして、小径ピストン部１５Ｂの内部の下方にはリップ部１５Ｂａが形成され、上端には外向きの鍔部１５Ｂｂが形成されている。
小径ピストン部１５Ｂは、ノズルベース１２の縦方向の中空部１２ａ内に摺動自在に挿入される。
この状態ではシリンダ部１１Ａとノズルベース１２内の空間が外部と封止される。
後で述べるように、トリガー１３を操作して液を噴射させる場合、この小径ピストン部１５Ｂは上下移動するがノズルベース１２は上下移動しないので、ノズル部１１Ｃは、動かず、その位置は変化しない。
また、大径ピストン部１５Ａは、シリンダ部１１Ａの大径部１１Ａａ内に摺動自在に挿入される。
【００４３】
図７（Ａ）〜（Ｄ）に示すように、中空状のピストンシャフト１６は、本体部１６ａの上部は、二股部１６ｂが形成されている。
また、二股部１６ｂの上部の外側面には、支軸１６ｃ（２個）が突出している。
前述したように、支軸１６ｃ（２個）が、トリガー３の円弧状のくぼみ１３ｂ（２箇所）に当接している。
そして、支軸１６ｃ（２個）が当接する部分、すなわち円弧状のくぼみ１３ｂ（２箇所）がトリガー１３の作用点Ｐ２となっている。
また、本体部１６ａの下端の外側には、つば１６ｆが突出している。
【００４４】
そして、図８（Ｂ）に示すように、中空状のピストンシャフト１６は、本体部１６ａの下端部のつば１６ｆが、前述した中径中間部１５Ｃの下部連結部１５Ｃｂ（図６の（Ｃ）参照）に当接している。
【００４５】
スプリング１７は、コイルスプリングであり、中空状のピストン１５と中空状のピストンシャフト１６とからなるピストン構造体１４を上方に付勢する。
スプリング１７の上端部は、中径中間部の上部連結部１５Ｃａの裏側に当接しており、スプリング１７の下端部は、後述する弁棒１８の下部の拡大部１８ｂの上面に当接している。
そして、トリガー１３の親指当て部１３ａを親指で押し下げて、トリガー１３を回動させると、中空状のピストン１５と中空状のピストンシャフト１６とからなるピストン構造体１４が下方に移動し、スプリング１７は圧縮される。
【００４６】
また、親指当て部１３ａの押し下げを中止すると、スプリング１７は伸張して中空状のピストン１５と中空状のピストンシャフト１６とからなるピストン構造体１４を上方に付勢する。
そして、ピストン構造体１４が上方に付勢されると、中空状のピストンシャフト１６の支軸１６ｃ（トリガー１３の円弧状のくぼみ１３ｂに嵌っている）が押し上げられ、トリガー１３が元の位置に復帰する。
このようにスプリング１７がトリガー１３の復帰ばねの機能を果たすこととなる。
【００４７】
弁棒１８は、シリンダ部１１Ａの大径部１１Ａａ及び中径部１１Ａｂの内部の中心部に配置されている。
弁棒１８は、その先端部には、先述した小径ピストン部１５Ｂのリップ部１５Ｂａと協働する弁機能を有する弁体１８ａを備え、その下方の基端部には、拡大部１８ｂを備えている。
そして、弁棒１８のこの拡大部１８ｂは、ハウジング１１の中径部１１Ａｂ内に収容されている。
また、この拡大部１８ｂは、下端が開放された空所を備え、この空所の開放部にはファーストバルブＦＶを備えている。
【００４８】
ファーストバルブＦＶの概略は、図１０に示し、ファーストバルブＦＶは、図１０（Ａ）に示すように、弁体ＦＶａと板ばね部ＦＶｂ（２個）から構成されている。
そして、板ばね部ＦＶｂは、弁体ＦＶａを支持し、付勢する。
また、弁体ＦＶａはハウジング１１の中径部１１Ａｂからわずかに上方に環状に突出する部分（すなわち、弁座の働きをする部分）に対向している。
弁体ＦＶａがこの環状に突出する部分から離れることにより弁が開くことになる。
【００４９】
図２、図３に示すように、チューブ１９は、シリンダ部１１Ａの小径部１１Ａｃに挿入されて取り付けられている。
そして、チューブ１９の上端部の開口の上方には前述したファーストバルブＦＶが位置している。
【００５０】
図２、図３に示すように、キャップ２０は、ハウジング１１を容器に取り付けるためのものであり、ハウジング１１のつば１１Ａａｆを利用して容器の口部に螺合して取り付ける。
【００５１】
なお、前述の中空状のピストン１５は、ポリエチレン製であり、その他のハウジング１１、ノズルベース１２、トリガー１３、中空状のピストンシャフト１６、弁棒１８、チューブ１９、キャップ２０、ストッパ２１は、すべて、ポリプロピレン製である。
【００５２】
次に、本発明の実施形態に係るトリガー式ポンプディスペンサＡの作動について説明する。
まず、トリガー１３と逆Ｌ字形の取っ手部１１Ｂの間に挿入しているストッパ２１（図１参照）を取り外し、トリガー１３の親指当て部１３ａを親指で押し下げることができる状態にする。
【００５３】
次に、図３に示すように、逆Ｌ字形の取っ手部１１Ｂとトリガー１３とを握って、トリガー１３の親指当て部１３ａを親指で押し下げると、ノズルベース１２の上面に当接するまでトリガー１３は支点Ｐ１を中心に回動する。
【００５４】
逆Ｌ字形の取っ手部１１Ｂとトリガー１３とを握って、トリガー１３の親指当て部１３ａを親指で押し下げ、トリガー１３は支点Ｐ１を中心に回動すると、トリガー１３の動きに連動して中空状のピストンシャフト１６を介して中空状のピストン１５も下方に移動し、シリンダ部１１Ａの大径部１１Ａａ及び中径部１１Ａｂの内部の液圧が高まる。
なお、中径部１１Ａｂの内部の液圧が高まると、ファーストバルブＦＶは閉じる。
【００５５】
スプリング１７の復帰力に抗して、中空状のピストン１５と中空状のピストンシャフト１６とからなるピストン構造体１４が下方に移動すると、弁棒１８の弁体１８ａが小径ピストン部１５Ｂのリップ部１５Ｂａとの接触が外れ、シリンダ部１１Ａの大径部１１Ａａがノズルベース１２の縦方向の中空部１２ａ（図５（Ｃ）参照）に連通する。
よって、縦方向の中空部１２ａ内の高まった液圧は、弁体ＳＶａに作用してセカンドバルブ弁体ＳＶが開く。
そのため、液は、ノズル部１１Ｃから噴射される。
この場合、トリガー１３が支点Ｐ１を中心にする回動によって、中空状のピストン１５が下方に移動しても、ノズル部１１Ｃは動かず定位置にある。
【００５６】
また、図２に示すように、親指によるトリガー１３からの押圧力を開放すると、スプリング１７の復帰力により、中空状のピストンシャフト１６及び中空状のピストン１５からなるピストン構造体１４が上昇して元の位置に戻る。
なお、トリガー１３は、中空状のピストンシャフト１６の支軸１６ｃ（２個）がトリガー１３の円弧状のくぼみ１３ｂ（２箇所）に当接しているので、スプリング１７の復帰力により、トリガー１３も元の位置に回動して戻る。
中空状のピストン１５が上昇するとシリンダ部内は負圧になるので、セカンドバルブＳＶは閉じて、ファーストバルブＦＶが開き、容器本体内の液がチューブ１９によって吸い上げられる。
【００５７】
ここで中空状のピストン１５が上昇して元の位置に戻ると、弁棒１８の弁体１８ａが小径ピストン部１５Ｂのリップ部１５Ｂａと接触し、シリンダ部１１Ａの大径部１１Ａａとノズルベース１２の縦方向の中空部１２ａ（図５（Ｃ）参照）との連通が遮断される。
そのため、外部への液漏れが防止されることとなる。
【００５８】
本発明の実施形態に係るトリガー式ポンプディスペンサＡによれば、次のような効果を有する。
トリガー１３が上下に回動しても、ノズル部１１Ｃの位置は変化しないので、液の噴射方向を的に向けて的確に定めることができる。
また、中空状のピストンシャフト１６を介して中空状のピストン１５の上下の移動を行うことができるので、ハウジング１１の内部の空間を少なくすることができる。
【００５９】
また、逆Ｌ字形の取っ手部１１Ｂがトリガー１３の下に位置しているので、液を噴射するためのトリガー１３を引き込む場合、握りよく、トリガー式ポンプディスペンサＡ全体を握る必要はない。
また、逆Ｌ字形の取っ手部１１Ｂに４本の指を引っ掛けた状態で親指をトリガー１３の親指当て部１３ａの上に添えて、単に下方に押し下げるだけでよい。
そのため、手の小さい子供、握力、指力の落ちた身障者等でも簡単に扱うことができる。
さらに、トリガー式ポンプディスペンサＡ自体に液が付着している場合にも、手がトリガー式ポンプディスペンサＡ自体より離れているため汚れない。
【００６０】
また、逆Ｌ字形の取っ手部１１Ｂを握った状態で、逆Ｌ字形の取っ手部１１Ｂの上方にあるトリガー１３を押し下げて、シリンダ部１１Ａ内の液体をノズル部１１Ｃから噴射するトリガー式ポンプディスペンサＡであり、逆Ｌ字状の取っ手部１１Ｂの指当接部１１Ｂｓが、トリガー１３の親指当て部１３ａの力点Ｐ３より後方にあるので、握りよく保持性が高い。
また、指力が効率よく伝達されて操作性に優れる。
【００６１】
また、トリガー１３と逆Ｌ字形の取っ手部１１Ｂの間にストッパ２１を挿入することで、トリガー式ポンプディスペンサＡを保管中または輸送中に何らかの事情でトリガー１３が押し下げられるのを防止することができる。
そして、前述したように、ストッパ２１の挿入すなわち取り付け、及び取り外しは、取っ手部１１Ｂの水平面部１１Ｂｘに沿ってスライドさせることで、簡単に行うことができる。
以上、本発明の好適な実施形態について説明したが、本発明は上記の実施形態に限定されるものではない。
【００６２】
例えば、図１１は、ノズルベース１２の変形例を示す断面図である。
この場合、上述した図１のノズル部１１Ｃと異なって、このノズル部１１Ｃはノズルベース１２と一体に成形されている。
また縦方向の中空部１２ａは、図１のノズルベース１２とは異なって、ノズルベース１２とは別部品となっており、またセカンドバルブＳＶは、この縦方向の中空部１２aに装着されている。
そして、縦方向の中空部１２ａには、上リップ部１２ａ１が形成され、これとセカンドバルブＳＶの弁体とが協働して弁の開閉機能を発揮する。
【００６３】
また、図１２は、上述した実施の形態と図１１のノズルベース１２の比較を参考までに示した図である。
（Ａ）は上述した実施の形態のノズルベース１２を示し、（Ｂ）は図１１のノズルベース１２を示す。
いずれにしてもノズルベース１２は、上下移動しなく、ノズル部１１Ｃは動かない構造となっている。
【産業上の利用可能性】
【００６４】
本発明は、例えば、当該発明の液体噴射原理を使用するものであれば、塗装用としての工業全般、あるいは医療用器具等の分野に適用が可能である。
【符号の説明】
【００６５】
１１…ハウジング
１１ｄ…取り付け孔
１１Ａ…シリンダ部
１１Ａａ…大径部  
１１Ａａｆ…外周のつば
１１Ａｂ…中径部
１１Ａｃ…小径部
１１Ｂ…逆Ｌ字形の取っ手部
１１Ｂｓ…指当接部
１１Ｂｘ…取っ手部の水平面部
１１Ｃ…ノズル部
１１Ｃａ…ノズル部の中空円筒部
１２…ノズルベース
１２ａ…縦方向の中空部
１２ｂ…横方向の中空部
１２ｃ…嵌合突起
１２ｄ…縦方向の掛け止め爪
１２ｅ…横方向の掛け止め爪
１２ｙ…ノズルベースの後方段部
１３…トリガー
１３ａ…トリガーの親指当て部
１３ｂ…トリガーの円弧状のくぼみ
１３ｃ…トリガーの切欠き
１４…ピストン構造体
１５…中空状のピストン
１５Ａ…大径ピストン部
１５Ｂ…小径ピストン部
１５Ｂａ…小径ピストン部のリップ部
１５Ｂｂ…鍔部
１５Ｃ…中径中間部
１５Ｃａ…中径中間部の上部連結部
１５Ｃｂ…中径中間部の下部連結部
１６…中空状のピストンシャフト
１６ａ…本体部
１６ｂ…二股部
１６ｃ…支軸
１６ｆ…つば
１７…スプリング
１８…  弁棒
１８ａ…弁体
１８ｂ…拡大部
１９…チューブ
２０…キャップ
２１…ストッパ
２１ａ…上部の突出部
２１ｂ…側部の突出部
ＳＶ…セカンドバルブ
ＳＶａ…セカンドバルブの弁体
ＦＶ…ファーストバルブ
ＦＶａ…ファーストバルブの弁体
ＦＶｂ…ファーストバルブの板ばね部
Ｐ１…支点
Ｐ２…作用点
Ｐ３…力点
Ａ…トリガー式ポンプディスペンサ
【図１】
0006415884.tif 000002
【図２】
0006415884.tif 000003
【図３】
0006415884.tif 000004
【図４】
0006415884.tif 000005
【図５】
0006415884.tif 000006
【図６】
0006415884.tif 000007
【図７】
0006415884.tif 000008
【図８】
0006415884.tif 000009
【図９】
0006415884.tif 000010
【図１０】
0006415884.tif 000011
【図１１】
0006415884.tif 000012
【図１２】
0006415884.tif 000013